(57)【要約】  【課題】ベルトニップ方式の定着装置において、エンドレスベルトの波打ち防止と波打ちによる未定着トナー像の定着ローラへの擦れ跡、エンドレスベルトのスリップの発生を防止する。  【解決手段】熱源を有する定着ローラ５１とエンドレスベルト５２外周面間の静止摩擦係数をμ1、加圧ローラ５６とエンドレスベルト５２内周面間の動摩擦係数をμ2、圧力付与部材１００とエンドレスベルト５２内周面間の動摩擦係数をμ3、加圧ローラ５６の定着ローラ５１への加圧力をN1、圧力付与部材１の定着ローラへの加圧力をN2、定着ローラ５１の周速をＶ1、加圧ローラ５６の周速をＶ2、Ｆ1＝μ1・Ｎ1、Ｆ2＝μ2・Ｎ1、Ｆ3＝μ3・Ｎ2、としたとき、Ｆ1-Ｆ3＞｜Ｆ2｜、Ｖ1＜Ｖ2を満たす。【選択図】  図１
2007079049.tif 000002
【特許請求の範囲】
【請求項１】
記録材上の画像を定着する定着回転体と、前記定着回転体との間で定着ニップを形成するエンドレスベルトと、前記定着ニップにおいて前記ベルトを前記定着回転体に向けて加圧する加圧パッドと、前記ベルトを懸け回し前記定着回転体に対する分離部を形成し、回転軸方向の中央部で太く両端部で細い形状とされた加圧ローラと、を有する定着装置において、
前記定着回転体と前記ベルト外周面間の静止摩擦係数をμ1、前記加圧ローラと前記ベ
ルト内周面間の動摩擦係数をμ2、前記加圧パッドと前記ベルト内周面間の動摩擦係数を
μ3、前記加圧ローラの前記定着回転体への加圧力をＮ1、前記加圧パッドの前記定着回転体への加圧力をＮ2、前記定着回転体の周速をＶ１、前記加圧ローラの周速をＶ２とする
と、
Ｆ1＝μ1・Ｎ1、
Ｆ2＝μ2・Ｎ1、
Ｆ3＝μ3・Ｎ2、
Ｆ1-Ｆ3＞｜Ｆ2｜、
Ｖ1＜Ｖ2
を満足することを特徴とする定着装置。
【請求項２】
前記ベルト内面に潤滑剤を塗布する塗布手段を有することを特徴とする請求項１に記載の定着装置。
【請求項３】
前記加圧ローラの表面粗さＲｚは5μm以下であることを特徴とする請求項１又は２に記載の定着装置。
【発明の詳細な説明】
【技術分野】
【０００１】
本発明は、電子写真方式を利用して、画像を記録材上に形成してハードコピーを得る複写機、ファクシミリ、プリンタ等の画像形成装置及びその定着装置に関し、特に離型剤を有するトナーからなる未定着画像を定着するベルトニップ方式の定着装置に関するものである。
【背景技術】
【０００２】
従来より、記録シート上に担持された未定着トナー像を加熱・溶融して定着する装置としてローラ定着装置が知られている。回転可能に支持された定着ローラと、同じく回転可能に支持された加圧ローラとを圧接し、これらの間に記録シートを送り込んで加熱、加圧して定着する構成となっている。
【０００３】
また、エンドレスベルトを用いて定着ニップを広げたベルトニップ方式の定着装置が提案されている。回転可能に支持された加熱定着ローラと、無端移動が可能な加圧ベルトとを圧接し、これらの間に記録シートを送り込んで定着する方法で、ベルトニップ方式等と称されている。
【０００４】
特許文献１には、定着ローラにエンドレスベルトを巻きつけることで定着ニップを広げ、エンドレスベルト内部に加圧ローラを設けて加圧力を付与している方式が提案されている。
【０００５】
特許文献２には、加圧ローラ（または本発明では「分離ローラ」と称する）のみではなく、圧力付与部材をエンドレスベルト内部に設け、定着ローラに対して圧接することで画像欠陥を防止しようとする構成もある。
特許文献２のようなベルトニップ方式の定着装置について図２にもとづいて詳細に説明する。
【０００６】
回転自在に配設された定着ローラ５１と、複数のローラ５５、５６、５７に張架され定着ローラ５１に圧接しながら回転するエンドレスベルト５２とエンドレスベルトを定着ローラ５１へ加圧する圧力付与部材１００（または「加圧パッド」と称する）とを有した構成となっている。
【０００７】
定着ローラ５１はＡｌ、Ｆｅなどからなる芯金上にシリコーンゴムやフッ素ゴム等の弾性体層を被覆した構成になっている。エンドレスベルト５２はポリイミド等の樹脂またはニッケル等の金属からなる基材の表面にシリコーンゴムやフッ素ゴム等の弾性体層を被覆した構成になっている。
【０００８】
また、定着ローラ５１には不図示のクリーニング装置が取り付けられ、このクリーニング装置により定着ローラ５１上にオフセットしたトナー等のクリーニングがなされている場合もある。
【０００９】
また、離型剤塗布装置により、離型剤であるシリコーンオイル等が定着ローラ５１に塗布され、該定着ローラ５１からの記録材Ｐの分離の容易化及びトナーのオフセットの防止が図られる場合もある。しかし、シリコーンオイルの塗布ムラが画像上の光沢むらになることから、最近は、トナーが離型剤を含有し、離型剤塗布装置を備えないいわゆるオイルレス定着器が主流になりつつある。その場合の定着ローラ弾性層の外側にフッ素樹脂等からなる離型層を設ける場合もある。
【００１０】
エンドレスベルト５２は、ポリイミド等の耐熱性樹脂やＳＵＳなどの円筒状基材の外周にシリコーンゴム、フッ素ゴム等の弾性層を設けている。定着ローラ同様、トナーが離型剤を含有する場合はエンドレスベルト弾性層の外側に離型層を設ける場合もあるし、弾性層が無く基材と離型層のみの場合もある。
【００１１】
圧力付与部材１００は金属のベースプレート１０２上にシリコーンゴム等の弾性層１０１と表層にPTFEなどの低磨耗層１０３をそなえている。
ローラ５６はSUSなどの金属からなる分離ローラでエンドレスベルト５２を介して定着
ローラ５１に食い込むように加圧することにより定着ローラ５１の弾性体を変形させ記録材Ｐを定着ローラ５１表面から分離させている。
【００１２】
ローラ５７はＳＵＳなどの金属芯金の表層に高摩擦係数層を設けて、揺動し、エンドレスベルトの寄り制御を行っている。また、エンドレスベルトにテンションを加えるテンションローラの役割を兼ねる場合もある。
【００１３】
定着ローラ５１の内部には、ハロゲンランプ等のヒーター５８が配設されている。また、定着ローラ５１には不図示のサーミスタが接触または非接触に配設されており、温度調節回路を介してヒーター５８への電圧を制御することにより定着ローラ５１の表面の温度調節を行っている。
【００１４】
このベルトニップ方式の定着装置は、他に、幅広い定着ニップを形成してピーク圧力を下げることにより、定着ローラのゴム変形を少なくして寿命を延ばす、また、定着温度を下げることで省エネを可能にする等の多くのメリットがある。
【００１５】
定着ローラ及び分離ローラ（または、加圧ローラ）は、所定の圧力でお互い加圧されているため、各々の加圧力と部材の直径、部材の厚み、物性（ヤング率）等に応じて、中央部の圧力が抜けるように撓む。そのため、定着ローラおよび分離ローラが、軸方向の直径がどの位置でも同じであるいわゆるストレート形状である場合、エンドレスベルトを介して定着ローラに圧力を付与している分離ローラが形成するニップ形状は、以下のようになる。すなわち、この場合のニップ形状は、加圧部中央は撓み量分だけニップ幅が狭く、加圧部両端部に向かうにつれニップ幅が徐々に広くなる。
【００１６】
このように中央部が狭く両端部が広いニップ形状の場合、ニップの狭い部分に依存して記録材の剥離性が低下する等の問題が発生することがわかっている。このため、特許文献３に記載の定着装置では、軸方向にニップ幅を揃える方法として、加圧ローラ５６の中央部の直径を端部に対して太くする、いわゆる正クラウン形状ローラを用いている。
【特許文献１】特開平5-150679号公報
【特許文献２】特開平11-045025号公報
【特許文献３】特開平10-228199号公報
【特許文献４】特開2001-201979号公報
【発明の開示】
【発明が解決しようとする課題】
【００１７】
しかし本発明者が前述の特許文献３記載同等の構成で定着すると、記録材の剥離不良や紙しわは発生しないが、エンドレスベルトの波打ちが発生した。このエンドレスベルトの波打ちによって、定着ニップ入口に記録材が搬送されてきたとき、記録材はエンドレスベルトによって持ち上げられ、定着ローラに未定着トナー像を擦ってしまい画像不良となる問題点が発生してしまった。
【００１８】
エンドレスベルトの波打ちに関しては、特許文献４に以下のように記載されている。図２において、エンドレスベルト５２を張架する支持ローラ群５５、５６、５７が以下の関係を満たす場合にベルトの波打ちを解消できると説明している。すなわち、分離ローラ５６のクラウン量α、ローラ５５の逆クラウン量をβ、ローラ５７のクラウン量をγとしたとき３つの値が、
［α―（β＋γ）］＝０
となる場合である。
【００１９】
しかし、本現象のエンドレスベルトの波打ちは、軸方向で両端部に対して中央の直径が大きい加圧ローラ５６をエンドレスベルト５２を介して定着ローラ５１に圧接していること自体が原因である。つまり、ローラ５５、５７は定着ローラ５１に圧接されている訳ではないため、逆クラウン形状にしてもエンドレスベルトの長手の速度差を補正することはできないと考えられる。
【００２０】
この原因について本発明者は以下のように考えている。
【００２１】
図３に示すように、そもそも加圧ローラには正クラウンをつけると、エンドレスベルトの両端部はテンションが緩く、波打ちやすくなるのは特許文献４の通りである。
【００２２】
図４(a)に示すように、加圧ローラの回転速度をω、加圧ローラ周上でのエンドレスベ
ルトの移動距離を加圧ローラの長手中央でLc、端部でLeとする。加圧ローラには正クラウンがついているためLｃ＞Leとなる。しかし、実際にはベルトは剛性のあるエンドレスベ
ルトのため加圧ローラ端部の移動距離はLes(=Lc)となる。つまり、Le→Lesとなるように
加圧ローラとエンドレスベルトが端部で滑っているか、あるいは定着ローラとエンドレスベルトが端部で滑っていることになる。
【００２３】
または逆に、図４(b)に示すように、Lc→Lcsとなるように加圧ローラとエンドレスベルトが中央部で滑っているか、あるいは定着ローラとエンドレスベルトが中央部で滑っていることも考えられる。
【００２４】
しかし、この現象は軸方向で両端部に対して中央の直径が大きい加圧ローラ５６をエンドレスベルト５２を介して定着ローラ５１に圧接していること自体で発生しており、ローラ５５、５７とは関係なく発生する。このようにローラ５７をテンションローラとしテンションを上げたり、ローラ５５、５７に逆クラウンをつけて補正したとしてもエンドレスベルトの波打ちを解消することは出来ない。
【００２５】
ベルトの波打ちを解消しようとして、エンドレスベルトと加圧ローラを滑らせてしまうと、エンドレスベルト自体がスリップしてしまうことが容易に推測できる。
【００２６】
そこで、本発明では、上記エンドレスベルトの波打ちを解決するとともに、同時にエンドレスベルトのスリップも発生しないことを目的としている。
【課題を解決するための手段】
【００２７】
上記課題を解決するために、本発明は、記録材上の画像を定着する定着回転体と、前記定着回転体との間で定着ニップを形成するエンドレスベルトと、前記定着ニップにおいて前記ベルトを前記定着回転体に向けて加圧する加圧パッドと、前記ベルトを懸け回し前記定着回転体に対する分離部を形成し、回転軸方向の中央部で太く両端部で細い形状とされた加圧ローラと、を有する定着装置において、前記定着回転体と前記ベルト外周面間の静止摩擦係数をμ1、前記加圧ローラと前記ベルト内周面間の動摩擦係数をμ2、前記加圧パッドと前記ベルト内周面間の動摩擦係数をμ3、前記加圧ローラの前記定着回転体への加
圧力をＮ1、前記加圧パッドの前記定着回転体への加圧力をＮ2、前記定着回転体の周速をＶ１、前記加圧ローラの周速をＶ２とすると、Ｆ1＝μ1・Ｎ1、Ｆ2＝μ2・Ｎ1、Ｆ3＝μ3・Ｎ2、Ｆ1-Ｆ3＞｜Ｆ2｜、Ｖ１＜Ｖ２を満足することを特徴とする。
【００２８】
また、前記ベルト内面に潤滑剤を塗布する塗布手段を有するようにしてもよい。
【００２９】
また、前記加圧ローラの表面粗さＲｚは5μm以下であることが好適である。
【発明の効果】
【００３０】
以上説明したように、本願発明に係る定着装置では、前記定着回転体と前記ベルト外周面間の静止摩擦係数をμ1、前記加圧ローラと前記ベルト内周面間の動摩擦係数をμ2、前記加圧パッドと前記ベルト内周面間の動摩擦係数をμ3、前記加圧ローラの前記定着回転
体への加圧力をＮ1、前記加圧パッドの前記定着回転体への加圧力をＮ2、前記定着回転体の周速をＶ１、前記加圧ローラの周速をＶ２とすると、Ｆ1＝μ1・Ｎ1、Ｆ2＝μ2・Ｎ1、Ｆ3＝μ3・Ｎ2、Ｆ1-Ｆ3＞｜Ｆ2｜、Ｖ１＜Ｖ２とすることによって、定着ローラと加圧
ローラに挟まれたエンドレスベルトの長手の速度が定着ローラと周速差をもたずに密着して搬送され定着ローラの速度にならうように、かつ、加圧ローラとは滑りながら加圧ローラの長手の周速差の影響を受けないように構成し、エンドレスベルトの長手の周速差を解消することで波打ちを防止するものである。さらには、加圧パッドとエンドエスベルトの摩擦係数をさらに小さくすることでエンドレスベルトのスリップを防止するものである。
【００３１】
また、この摩擦係数の関係を実現するために、離型剤を有するトナーを用いれば定着ローラ上の離型剤塗布装置を不要となる。シリコーンオイル等を塗布する離型剤塗布装置があると定着ローラとエンドレスベルトの間の摩擦係数を下げてしまう。さらに、エンドレスベルト内部にもシリコーンオイル等の潤滑剤を塗布してしまうと、エンドレスベルトの回転駆動は定着ローラから受ける力も分離ローラから受ける力も不安定となりスリップが起きやすくなってしまう。離型剤を有するトナーを用いることで定着ローラに離型剤塗布装置を不用とすることで、エンドレスベルトの駆動は定着ローラから安定して受けることが出来るようになる。そのために、定着ローラ表層およびエンドレスベルトの表層にフッ素等の樹脂層を設けるほうが良い場合がある。
【００３２】
また、定着ローラとエンドレスベルト外面の摩擦係数よりも、エンドレスベルト内面と加圧ローラの摩擦係数を小さくするために、加圧ローラの表面の表面粗さを５μｍ以下と小さくしている。加圧ローラ表面の表面粗さを大きくするとエンドレスベルトとの摩擦係数が大きくなってしまい、波打ちが悪化してしまうからである。エンドレスベルト内面に潤滑剤を塗布することで波打ちはより解消しやすくなる。
【００３３】
また、定着ローラではなく熱源を有する定着回転体として定着ベルトを用いたほうが、より幅広い定着ニップ幅を得ることでき、定着装置の小型化に有利な場合もある。
【発明を実施するための最良の形態】
【００３４】
以下に、実施例を挙げて、本発明をより具体的に説明する。なお、これら実施例は、本発明における最良の実施の形態の一例ではあるものの、本発明はこれら実施例により限定されるものではない。
【実施例】
【００３５】
＜第一の定着装置＞
図２により本発明にかかる定着装置１を説明する。なお、次の説明では前出の部材と同一の部材には同一の符号を付してある。
【００３６】
図２で、定着ローラ５１は、内径φ37.8、外径φ38.4の0.3ｍｍ厚みのFeからなる芯金
上に、シリコーンゴムを0.5mm成形し、さらにその表面に30μｍ厚みのPFAチューブを被覆した外径φ40の長手方向にストレート形状の定着ローラを用いた。
【００３７】
定着ベルト（または「エンドレスベルト」と称する）５２は、厚み100μｍポリイミド
基層にシリコーンゴム層を厚み0.5ｍｍで被覆した外径φ90のシームレスベルトを用いた
。定着ベルト５２は、入口ローラ５５、分離ローラ５６、テンションローラ５７の３本のローラに張架させた。入口ローラ５５は定着器の入口のローラであり記録材が侵入してくる所であり記録材の搬送路を変更しないよう固定されている。テンションローラ５７は定着ベルト５２にテンションを与えるようバネ付勢されている。
【００３８】
分離ローラ５６はSUSの中実ローラでエンドレスベルト５２を介して定着ローラ５１に
食い込むように加圧することにより定着ローラ５１の弾性体を変形させ転写紙Ｐを定着ローラ５１表面から分離している。本例では長手方向の中央部で外径φ15.5mm、両端部で15.0mmの正クラウン500μｍとし、総圧５0kgの加圧を行なった。分離ローラは定着ローラおよびエンドレスベルトと周速がほぼ同等となるように不図示の駆動源から回転駆動されている。
【００３９】
圧力付与部材１００は、厚さ5ｍｍのステンレス鋼製のベースプレート１０２の表面に
、ゴム硬度Hs３０°のシリコーンゴムからなる弾性層１０１とPTFEをコーティングしたガラスクロスシートからなる低摩擦層１０３を積層して形成した。また、圧力付与部材１００は、ベースプレート１０２側に配置された不図示のバネによって定着ローラ５１に向けて押圧されている。
【００４０】
本例では、圧力付与部材に総圧Ｎ２＝50kgの加圧を行った。このため圧力付与部材60kgと分離ローラＮ1＝50kgで総圧100kgの加圧力となる。
【００４１】
潤滑剤塗布装置１０４としては、耐熱性の不織布を用い、潤滑材としてシリコーンオイルを塗布している。
【００４２】
定着ローラのプロセススピード（周速度）は300mm/sec、分離ローラの周速度は310mm/sec  とした。
【００４３】
＜第二の定着装置＞
図６により本発明にかかる定着装置２１を説明する。なお、次の説明では前出の部材と同一の部材には同一の符号を付してあり、同一のものを使用しているので説明は省略する。
【００４４】
第二のエンドレスベルト１０５は、エンドレスベルト５２と同じものを用いた。本第二の定着装置の定着ローラ５１のみ弾性層および表層のない芯金のみのものを用いた。
【００４５】
＜摩擦係数＞
本発明者の検討の比較例として、第一および第二の定着装置に対して、潤滑剤塗布装置を外した物、分離ローラの表面粗さＲｚを1μｍ、５μｍ、10μｍとふった物、低磨耗層
１０４がない圧力付与部材を用いた。
【００４６】
摩擦係数の測定は、図７に示すように、１７０℃に温調したホットプレート１０７の上にエンドレスベルトを切り開いたものを表または裏にして置き、その上に定着ローラ５１または分離ローラ５６または圧力付与部材１００を置いて行う。この状態で、図中矢印方向へフォースゲージ１０８を繋げて引っ張り、動き出したときの力を読み取って静止摩擦
係数を算出し、動き出した後の力を読み取って動摩擦係数を算出した。エンドレスベルト５２と分離ローラ５６または圧力付与部材１００の間に潤滑剤の塗布有りと無しの場合についても測定した。摩擦係数は図１のように、定着ローラ表面とエンドレスベルト外周面間の静止摩擦係数をμ1、分離ローラとエンドレスベルト内周面間の動摩擦係数をμ2、圧力付与部材とエンドレスベルト内周面間の動摩擦係数をμ3とした。
【００４７】
この摩擦係数μ１、μ２、μ３と、分離ローラと圧力付与部材の加圧力Ｎ１、Ｎ２から、F１、F2、F3を以下のように定義する。すなわち、図８（a）のように定着ローラがエンドレスベルトを駆動する力をF１＝μ１・（N１+N2）と定義する。そして、分離ローラが
エンドレスベルトを駆動する力をF2＝μ２・N1と定義する。さらに、圧力付与部材がエンドレスベルトと摺擦してエンドレスベルトを止めようとする力をF3＝μ3・N2を定義する
。
【００４８】
以上説明した第一および第二の定着装置で以下のような比較実験を行った。
【００４９】
定着条件は、定着ローラの表面温度を170℃に温調とした。通紙する記録材および未定
着トナーの条件は、普通紙64g/m2、に未定着のベタ画像をのせて定着した。
【００５０】
第一および第二の定着装置での、各条件での摩擦係数μ１、μ２、μ３、エンドレスベルトの波打ちおよびベタ画像の擦れ跡、ベルトスリップは表１のような結果となった。
【００５１】
【表１】
2007079049.tif 000003
ベルト波打ち／画像擦れ、ベルトスリップ欄
〇：ベルトの波打ち、画像の擦れ跡が無い。
または、ベルトスリップによる画像ずれが無い。
△：ベルトの波打ち、画像の擦れ跡が軽微に有る。
×：ベルトの波打ち、画像の擦れ跡が有る。
または、ベルトスリップによる画像ずれが有る
-：ベルトスリップによる画像ずれがあり、
ベルトの波打ち、画像の擦れ跡が有るかどうか分からない。
判定欄
OK：F1-F3＞｜F2｜
N：F1-F3＜F2
S：F1-F3＜-F2  （ F1+F2＜F3  ）
【００５２】
表１の比較例５、６の結果よりベルトのスリップが発生しているのはF1-F3＜-F2（判定S）のときであることが分かる。これは、図８(a)でF1+F2＜F3となっている場合で、エン
ドレスベルトの駆動力がブレーキ力に負けてしまっている状態である。
【００５３】
表１の実施例１、２および比較例１〜４の結果より、分離ローラの表面粗さを小さくしたほうが良いことが分かる。また、実施例１および比較例２、５、６の結果より、潤滑剤を塗布しないよりも塗布したほうが良く、圧力付与部材表層にフッ素コートをしないよりもしたほうが良いことが分かる。この場合、ベルトの波打ちおよび画像擦れが発生しているのは、F1-F3＜F2（判定N）ときであることがわかる。つまり、図８(a)でF1＜F2+F3となっている場合で、エンドレスベルトが分離ローラの駆動力で回転してしまい、定着ローラとエンドレスベルトが滑ってしまっている状態である。
【００５４】
表１の実施例１、２および３は、F1-F3＞｜F2｜（判定OK）であるが、つまり、F1-F3＞F2かつF1-F3＞-F2の場合で、上記ベルトのスリップも波打ちも発生しない状態である。つまり、エンドレスベルトは、F1+F2＞F3（F1-F3＞-F2）の関係より定着ローラおよび分離
ローラからの駆動が、圧力付与部材からのブレ−キ力よりも勝っているのでスリップしない。加えて、F1＞F2+F3（F1-F3＞F2）の関係より、エンドレスベルトの定着ローラからの駆動力が、ベルト内面の駆動力よりも勝っている。したがって、エンドレスベルトの速度が定着ローラの速度にならっている状態で、前述したようにエンドレスベルトの長手に速度差を生じベルトの波打ちが発生していると考えられる。
【００５５】
また、分離ローラは回転駆動をやめ、エンドレスベルトに従動回転とすると表１でスリップしていなかった場合でもスリップが発生してしまった。また、分離ローラを回転駆動し、周速度を300mm/sec未満にしてしまうと、やはりスリップが発生してしまった。この
場合、図８(b)のように、分離ローラがエンドレスベルトを駆動する力F2が、エンドレス
ベルトの回転方向と逆向きにかかってしまい、駆動力ではなく、ブレーキ力になってしまっていると考えられる。
【００５６】
この結果から、分離ローラはエンドレスベルトと周速差をもちつつ（滑りつつ）、動摩擦によってエンドレスベルトの回転駆動の補助をしていると考えられる。
【００５７】
以上のように、F1-F3＞｜F2｜の関係とすることで、エンドレスベルトのスリップ、波
打ちおよび画像擦れを防止することができる。
【００５８】
また、エンドレスベルトと分離ローラを滑りやすくすることで、エンドレスベルトの寄り制御にも有利となっている。ローラ５７を寄り制御ローラとした場合、ローラ５７はエンドレスベルトの長手方向の位置に応じて角度を振ってエンドレスベルトが長手中央に寄
るように移動する。その場合、寄り制御ローラ５７による寄り力に対して、前記μ２およびμ３はブレーキ力となるため、エンドレスベルトと分離ローラを滑りやすくすることで、寄り力が効きやすくなり、エンドレスベルトの寄り制御にも有利となることがわかる。
【００５９】
また、本例では３本のローラに掛けまわすエンドレスベルトに関して説明したが、分離ローラおよび圧力付与部材があれば、２本のローラに掛けまわすタイプや、分離ローラと圧力付与部材のみのタイプであってもよい。
【００６０】
なお、本発明の定着装置は、上述したような記録材に形成された未定着トナー像を定着する用途に限られない。すなわち、本発明の定着装置は、記録材に形成される画像の光沢度を向上させるために、トナー像を仮定着するような用途や、既に仮定着されたトナー像を再加熱して光沢度を向上させる用途としても使用できる。本例ではこれらを総称して定着装置と呼ぶことにする。
【００６１】
＜画像形成装置＞
図９により本発明の実施例に係る定着装置を備えた画像形成装置の全体構成について説明する。
【００６２】
図９に示す装置内には、画像形成手段を構成する第１、第２、第３、第４の画像形成部Ｐａ、Ｐｂ、Ｐｃ、Ｐｄが併設され、各々異なった色のトナー像が潜像、現像、転写のプロセスを経て形成される。
【００６３】
画像形成部Ｐａ、Ｐｂ、Ｐｃ、Ｐｄは、それぞれ専用の像担持体、本例では電子写真感光ドラム３０３ａ、３０３ｂ、３０３ｃ、３０３ｄを具備し、各感光ドラム３０３ａ、３０３ｂ、３０３ｃ、３０３ｄ上に各色のトナー像が形成される。各感光ドラム３０３ａ、３０３ｂ、３０３ｃ、３０３ｄに隣接して中間転写体１１３０が設置される。感光ドラム３０３ａ、３０３ｂ、３０３ｃ、３０３ｄ上に形成された各色のトナー像は、中間転写体３３０上に１次転写され、２次転写部で記録材ｐ上に転写される。さらにトナー像が転写された記録材ｐは、定着装置１で加熱及び加圧によりトナー像を定着した後、記録画像として装置外に排出される。
【００６４】
感光ドラム３０３ａ〜ｄの外周には、それぞれドラム帯電器３０２ａ〜ｄ、現像器３０１ａ〜ｄ、１次転写帯電器３２４ａ〜ｄ及びクリーナ３０４ａ〜ｄが設けられる。装置の上方部にはさらに図示しない光源装置およびポリゴンミラーが設置されている。
【００６５】
光源装置から発せられたレーザー光を、ポリゴンミラーを回転して走査し、その走査光の光束を反射ミラーによって偏向し、fθレンズにより感光ドラム３０３ａ、３０３ｂ、
３０３ｃ、３０３ｄの母線上に集光して露光する。これにより、感光ドラム３０３ａ、３０３ｂ、３０３ｃ、３０３ｄ上に画像信号に応じた潜像が形成される。
【００６６】
現像器３０１ａ、３０１ｂ、３０１ｃ、３０１ｄには、現像剤としてそれぞれイエロー、マゼンタ、シアン及びブラックのトナーが、図示しない供給装置により所定量充填されている。現像器３０１ａ、３０１ｂ、３０１ｃ、３０１ｄは、それぞれ感光ドラム３０３ａ、３０３ｂ、３０３ｃ、３０３ｄ上の潜像を現像して、シアントナー像、マゼンタトナー像、イエロートナー像及びブラックトナー像として可視化する。
【００６７】
中間転写体３３０は矢示の方向に感光ドラム３０３と同じ周速度をもって回転駆動されている。
【００６８】
感光ドラム３０３ａ上に形成担持された上記第１色のイエロートナー画像は、感光ドラ
ム３と中間転写体３３０とのニップ部を通過する。この過程で、中間転写体３３０に印加される１次転写バイアスにより形成される電界と圧力により、中間転写体３３０の外周面に中間転写されていく。
【００６９】
同様に第２色のマゼンタトナー画像、第３色のシアントナー画像、第４色のブラックトナー画像が順次中間転写体３３０上に重畳転写され、目的のカラー画像に対応した合成カラートナー画像が形成される。
【００７０】
３１１は２次転写ローラを示し、中間転写体３３０に対応し平行に軸受させて下面部に接触させて配設してある。２次転写ローラ３１１には、２次転写バイアス源によって所望の２次転写バイアスが印加されている。中間転写体３３０上に重畳転写された合成カラートナー画像の記録材Ｐへの転写は、次のように行われる。すなわち、給紙カセット３００からレジストローラ３１２、転写前ガイドを通過して中間転写体３３０と２次転写ローラ３１１との当接ニップに所定のタイミングで記録材Ｐが給送される。これと同時に２次転写バイアスがバイアス電源からに印加される。この２次転写バイアスにより中間転写体３３０から記録材Ｐへ合成カラートナー画像が転写される。
【００７１】
一次転写が終了した感光ドラム３０３ａ、３０３ｂ、３０３ｃ、３０３ｄは、それぞれのクリーナ３０４ａ、３０４ｂ、３０４ｃ、３０４ｄにより転写残トナーをクリーニング、除去され、引き続き次の潜像の形成以下に備えられる。中間転写体３３０上に残留したトナー及びその他の異物は、中間転写体３３０の表面にクリーニングウエブ（不織布）を当接して、拭い取るようにしている。
【００７２】
トナー画像の転写を受けた転写材Ｐは定着装置１又は２１へ順次導入され、転写材に熱と圧力を加えることで定着された後に排紙部３６３を経て出力される。
【図面の簡単な説明】
【００７３】
【図１】本発明の摩擦係数μ１、μ２、μ３を説明する説明図である。
【図２】従来例、実施例および比較例の定着装置の構成を示す説明図である。
【図３】エンドレスベルトの波打ちを説明する説明図である。
【図４】エンドレスベルトの波打ちを説明する説明図である。
【図５】エンドレスベルトの波打ちを説明する説明図である。
【図６】実施例の定着装置の構成を示す説明図である。
【図７】摩擦係数の測定方法を説明する説明図である。
【図８】本発明のエンドレスベルトの駆動力またはブレーキ力であるＦ１、Ｆ２、Ｆ３を説明する説明図である。
【図９】本発明に係る画像形成装置の全体構成を示す図である。
【符号の説明】
【００７４】
１，２１：定着装置
５１：定着ローラ
５２：定着ベルト（エンドレスベルト）
５６：分離ローラ
５８：ハロゲンヒータ
１００：圧力付与部材
Ｐ：記録材
【図１】
2007079049.tif 000004
【図２】
2007079049.tif 000005
【図３】
2007079049.tif 000006
【図４】
2007079049.tif 000007
【図５】
2007079049.tif 000008
【図６】
2007079049.tif 000009
【図７】
2007079049.tif 000010
【図８】
2007079049.tif 000011
【図９】
2007079049.tif 000012